(57)【要約】【課題】チップパッケージ構造を提供する。【解決手段】  チップパッケージ構造はチップ、インナー・アウターリードを具えた複数のリード、チップ上表面を露出しチップ周囲を覆う樹脂封止部及び該チップとリードを電気的に接続する複数個のワイヤを具え、該リードは内向きにチップの表面両側部まで延伸し、該リードと該チップ表面両側部の接触部分は粘着方式でチップをマウントしてダイパッドに代え、該リードのアウターリード或いはリード下表面は樹脂封止部外に露出して、はんだ流出を避けはんだ集中を容易にし、樹脂封止材料を節約し、目視での位置決めと再加工ができるようにし、外部電気的接続の接点とする。このようにして、該リードを内向きに延伸してダイパッドの構造に代えることにより、該パッケージ構造の体積を縮小し放熱しやすくし、且つ樹脂封止材料を節約するとともに、良好且つ安定した導通の効果を得る。。【選択図】  図１ 
2005150693.tif 000002
【特許請求の範囲】
【請求項１】
チップパッケージ構造において、チップ、優れた導電性を具えた複数のリード、該チップとリードを電気的に接続する複数のワイヤ、及び樹脂封止部を具え、
複数のリードは一定の配列順序を呈するように設け、それらのリードはチップの二つの側辺から内側に向かって該チップの表面の両側部まで延伸し、それらのリードの該チップ表面両側部との接触部分は粘着材料でチップ上に粘着固定し、よって粘着方式でチップをマウントすることによりダイパッドに代え、それらのリードのアウターリード或いはリード表面は樹脂封止部外に露出して、外部電気的接続する箇所とするようにして成ることを特徴とするチップパッケージ構造。
【請求項２】
該樹脂封止部はチップを覆って且つチップの表面を露出するようにして成ることを特徴とする請求項１記載のチップパッケージ構造。
【請求項３】
該チップのリードは二つの平行段及び該二つの平行段を接続する垂直段から構成してよく、且つ該ワイヤをそのうち一つの平行段の一面上に接続するようにして成ることを特徴とする請求項１記載のチップパッケージ構造。
【発明の詳細な説明】
【技術分野】
【０００１】
本発明はチップパッケージ構造に関し、特に内向きに延伸したリードでダイパッドに代えて、堆積を縮小し且つ放熱し易く、樹脂封止材節約を達成するとともに、良好且つ安定した電気的導通の機能を具えるチップパッケージ構造に関する。
【背景技術】
【０００２】
一般に集積回路チップは非常に脆弱なため、外部に適当なパッケージを施して、使用時に外力による汚染や破壊を受けないようにしなければならない。またチップを回路基板や基板、リードフレーム上に適度に電気的に接続して初めて、その機能を回路基板や基板或いはリードフレームを通して効果的に外部に伝達して、使用することが可能になる。
【０００３】
公知技術は、台湾特許の「リードフレーム構造」
【特許文献１】のように、チップを搭載してチップの機能を外部に伝送できるようにしており、主に、多数を配列したリードから成り、各リードはそれぞれおおむねブロック状で、上面とその反対側の底面を具え、上面にチップをマウントし、底面の所定位置を上面に向かってある深さ凹ませて、凹んだ後の表面にてチップと電気的に接続できるようにし、凹ませていない箇所に自然と少なくとも一つの接続部を形成し、該接続部は凹んだ部分に比べて突出状を呈して、外部との連結に使用できるようにして、チップを外部に導通させる。
【０００４】
また、別の公知技術では、台湾特許の「表面結合面を縮小した半導体パッケージ構造」
【特許文献２】のように、チップを具え、上表面と下表面を具え、該チップの上表面に複数個のボンディングパッドを形成し、複数個のリードを具えて、上表面と下表面を具え、リードは該チップの下表面まで延伸してチップをマウントし、複数個のワイヤを具えて該チップのボンディングパッドから対応するリードのややアウター側の上表面へ電気的に接続し、樹脂封止部を具えて、該チップ、ワイヤ及びリードの上表面を覆い包み、該樹脂封止部は少なくとも該複数個のリードの下表面の一部を露出する。また、リードが樹脂封止部から露出している下表面は、ワイヤと電気的接続しているリード上表面に対してインナー側に位置する。
【０００５】
上述の二種の公知の構造は従来のチップパッケージ構造の欠点を改善できるが、変更はリード（ピン）の形状、リード下表面に止まり、パッケージ構造の縮小、効果的な放熱及び材料節約はできず、また良好且つ安定した導通も達成できていない。よって該チップはやはり回路基板上に広汎に運用することができないため、公知の構造は実際使用の需要に適合できない。
【特許文献１】台湾特許公告第５１５０６９号
【特許文献２】台湾特許公告第４９６５７８号
【発明の開示】
【発明が解決しようとする課題】
【０００６】
本発明は、チップの体積を縮小し、且つ放熱し易く材料を節約し、良好且つ安定した導通の効果を提供することを課題とする。
【課題を解決するための手段】
【０００７】
本発明はチップパッケージ構造を提供する。該構造はチップを具え、該チップと電気的に接続する複数個のリードと、該チップの表面両側部とリードを電気的に接続する複数個のワイヤを具え、更に該チップ、リード及びワイヤを樹脂封止部内に覆い包み、これらのアウターリード或いはリード表面を樹脂封止部外に露出し、はんだ流出を防いではんだ集中し易くし、且つ樹脂封止材を節約し、目視による位置決めと再加工を容易にするとともに、チップの回路基板上への電気的接続に用い、ひいては該チップの体積を縮小し、放熱を容易にし、樹脂封止材を節約し、また良好で安定した導通の効果を具えるようにする。
【発明の効果】
【０００８】
本発明の実施例が提供するリードは構造と形状が簡単なだけでなく、製造上の利便性と製造コスト削減にも有利であり、更に外部電気的接続の接点の厚みが非常に小さいため、パッケージ全体の体積を大幅に減少し、且つ放熱しやすく材料が節約できる。また該リードの体積が簡略化・縮小化したため、これに伴ってチップの接点から外部回路基板の間の接点距離が短縮し、ひいてはチップの電気性伝達がより加速され、今日の技術趨勢にマッチする。
【発明を実施するための最良の形態】
【０００９】
図１、図２に示すように、本発明の実施例の断面図で、本発明のチップパッケージ構造はパッケージ好悪図の体積を縮小でき、放熱が容易で樹脂封止材が節約でき良好で安定した導通効果が得られる。
パッケージ構造はチップ１、良好な導電性を具えた複数個のリード１２、該チップ１１とリード１２とを電気的に接続する複数個のワイヤ１３、及びチップ１１の周囲を覆う樹脂封止部１４を具える。該チップ１１はメモリチップ、マイクロプロセッサ、ロジック或いはＲＦチップとしてよく、材質はケイ素、ガリウム砒素或いはその他半導体材料とし、該チップ１１は表面１１１及び表面１１２を具え、該チップ１１の表面１１１は樹脂封止部１４外に露出して、放熱に役立つと同時に封止材料を節約する。
【００１０】
複数個のリード１２は一定の配列順序を呈して設置し、これらのリード１２はチップ１１の二側辺から内向きに該チップ１１の表面両側部まで延伸する。リード１２が該チップ１１の表面両側部に接触する部分は粘着材料１１３でチップ１１上に固定するため、粘着方式でチップ１１をマウントしてダイパッドに代える。リード１２のアウターリード１２７或いはリード表面１２６は樹脂封止部１４外に露出して、はんだ流出を避けてはんだを集中し易くし、封止材を節約すると共に、目視による位置決めと再加工を容易にし、且つ外部との電気的接続の接点とする。
【００１１】
図１、図２に示すように本発明の一実施例では、リード１２はハーフエッチング或いはプレスでその二つの平行段１２１、１２２及び二つの平行段１２１、１２２を接続する垂直段１２３を形成する。該二つの平行段１２１、１２２のうち平行段１２１の面積はもう一つの平行段１２２より略大きく、二つの平行段１２１、１２２が大小を呈するようにする。該二つの平行段１２１、１２２は実質上の水平面とし、更に該チップ１１の表面１１２がワイヤ１３を通じて平行段１２１の下表面１２１１に接続するようにする（図１に示す）。実際の必要に応じて、該チップ１１の表面１１２をワイヤ１３を通じてもう一つの平行段１２２の上表面１２２１上に接続してもよく、該上表面１２２１はカーブ状を呈して（図２に示す）、チップ１１がワイヤ１３、リード１２を通して回路基板と電気的に導通するようにしてもよい。本実施例では該リード１２の間の表面結合の幅を小さくして表面結合面を縮小している。該樹脂封止部１４はチップ１１を湿気、塵埃の侵蝕から保護し、エポキシ化合物、粘着材料、シリカを含む熱硬化性絶縁充填材とし、チップ１１、リード１２及びワイヤ１３を覆い、リード１２のアウターリード１２７或いはリード下表面１２６のみ樹脂封止部１４外に露出させて、外部電気的接続の接点とする。以上のようにして新しいチップパッケージ構造を形成する。
【００１２】
図３に示すように、本発明の別の実施例では、該リード１２はチップ１１の両面に跨って設置してよく、該リード１２の二つの平行段１２１、１２１内の上表面は粘着材料１１３でチップ１１に粘着固定し、よって粘着方式でチップ１１をマウントしてダイパッドに代え、更に該チップ１１の表面１１１は該ワイヤ１３でリード１２と電気的に接続する。
【００１３】
図４に示すように、本発明のもう一つの実施例では、該リード１２は一定の配列順序を呈して設置し、該リード１２はチップ１１の二側辺から内側へ向かって該チップの表面両側部まで延伸し、該リード１２の該チップ１１表面両側部との接触部分は接着材料１１３でチップ１１に粘着固定し、よって粘着方式でチップ１１をマウントしてダイパッドに代え、該リード１２のアウターリード１２７或いはリード表面１２６は樹脂封止部１４外に露出して、外部電気的接続の接点とする。該チップ１１の下表面１１２はワイヤ１３を通して該リード１２の一側縁上に接続する。
【００１４】
図５に示すように、本発明の更に別の実施例では、該リード１２ａはカーブ部１２４と平面部１２５から構成し、リード１２ａの平面部１２５の一表面はチップ１１の表面１１２と粘着材料１１３で粘着してよく、該チップ１１の表面１１２は該ワイヤ１３でリード１２ａの平面部１２５のもう一つの表面と電気的に接続する。
【図面の簡単な説明】
【００１５】
【図１】本発明のチップの断面状態図である。
【図２】本発明の実施例の断面状態図である。
【図３】本発明の別の実施例の断面状態図である。
【図４】本発明のもう一つの実施例の断面状態図である。
【図５】本発明の更に別の実施例の断面状態図である。
【符号の説明】
【００１６】
１１ チップ
１２ リード
１３ ワイヤ
１４ 樹脂封止部
１１１ 上表面
１１２ 下表面
１１３ 粘着材料
１２６ リード下表面
１２１、１２２ 二つの平行段
１２３ 垂直段
１２１１ 下表面
１２２１ 上表面
１２１２ 上表面
１２ａ リード
１２４ カーブ部
１２５ 平面部
【図１】
2005150693.tif 000003
【図２】
2005150693.tif 000004
【図３】
2005150693.tif 000005
【図４】
2005150693.tif 000006
【図５】
2005150693.tif 000007